(57)【要約】      （修正有）【課題】マスクの紐を簡単かつ確実に掛け止めることができ、また頭皮を傷つけることなく、さらには作業の邪魔になることのないマスクの紐長さ調整部材を提供する。【解決手段】弾性薄板材１００の複数位置に形成された切込１０３のうち所望の切込１０３の内側１０３ａを表面側に起こすとともに、そこに形成される隙間からマスクの他方の紐５ｂを差し入れることにより、他方の紐５ｂを掛け止める。【選択図】図２
2005124818.tif 000002
【特許請求の範囲】
【請求項１】
マスクの一方の紐に取り外し可能に装着される長板形状の弾性薄板材からなるマスクの紐長さ調整部材であって、
上記弾性薄板材の長手方向の複数位置に、マスクの他方の紐を１箇所で掛け止める掛止部が設けられていることを特徴とするマスクの紐長さ調整部材。
【請求項２】
上記弾性薄板材の長手方向の複数位置に切込が形成されており、所望の切込内側を起こした状態にしてマスクの他方の紐を掛け止める構成にしたことを特徴とする請求項１に記載のマスクの紐長さ調整部材。
【請求項３】
上記各切込内側を起こした状態にする加工が予め施されていることを特徴とする請求項２に記載のマスクの紐長さ調整部材。
【請求項４】
上記各切込の内側に、該切込と相俟って二重線をなすような小切込が形成されていることを特徴とする請求項２又は３に記載のマスクの紐長さ調整部材。
【請求項５】
上記切込の両端に角度をもって連続する直線切込が形成されていることを特徴とする請求項２〜４のいずれか１項に記載のマスクの紐長さ調整部材。
【請求項６】
上記弾性薄板材に上記切込とは別の切込が形成されており、その別の切込内側を起こした状態にしてマスクの一方の紐を掛け止めることにより、マスクの一方の紐に取り外し可能に装着されることを特徴とする請求項２〜５のいずれか１項に記載のマスクの紐長さ調整部材。
【請求項７】
上記他の切込の内側に、該他の切込と相俟って二重線をなすような小切込が形成されていることを特徴とする請求項６に記載のマスクの紐長さ調整部材。
【請求項８】
上記他の切込の両端に角度をもって連続する直線切込が形成されていることを特徴とする請求項６又は７に記載のマスクの紐長さ調整部材。
【請求項９】
上記別の切込が上記弾性薄板材の長手方向の複数位置に形成されていることを特徴とする請求項６〜８のいずれか１項に記載のマスクの紐長さ調整部材。
【請求項１０】
上記複数位置の切込と、上記複数位置の別の切込とが、上記弾性薄板材の中央を挟んで両側に対称に配置されていることを特徴とする請求項９に記載のマスクの紐長さ調整部材。
【請求項１１】
上記弾性薄板材の両端部が円弧状とされていることを特徴とする請求項１〜１０のいずれか１項に記載のマスクの紐長さ調整部材。
【発明の詳細な説明】
【技術分野】
【０００１】
本発明は、マスクの紐長さ調整部材に係り、特には顔面に密着させる必要のある防塵マスク等に用いて好適なマスクの紐長さ調整部材に関する。
【背景技術】
【０００２】
例えば特許文献１には、防塵マスク等のマスクの締め紐を適度な長さに簡単に調整することのできる調整部材が開示されている。特許文献１に開示された調整部材では、図１１に示すように、横長の弾性薄板片１の後端部に一対の通孔２が形成され、各通孔から弾性薄板片１の側辺に到る切込み３が形成されている。また、弾性薄板片１には、向かい合わせて突設するとともに、弾性薄板片の後端部側に傾けた複数段の引っ掛け部４が形成されている。
【０００３】
このようにした調整部材を使用するときは、切込み３を指でずらして広げ、締め紐５ａをその広げた切込み３から通孔２に入れることにより、マスクの一方の締め紐５ａに取り付けることができる。そして、後頭部において、他方の締め紐５ｂを調整部材の引っ掛け部４に引っ掛けるが、この場合に、締め紐５ｂと引っ掛け部４との引っ掛け位置を段階的に変更することにより、使用者に応じた適度な長さに簡単に調整することができる。
【０００４】
【特許文献１】特許第３４１３５８５号公報
【発明の開示】
【発明が解決しようとする課題】
【０００５】
しかしながら、上記特許文献１に開示された調整部材では、向かい合わせて突設された引っ掛け部４の両方に締め紐５ｂを引っ掛ける必要がある。そのため、締め紐５ｂを引っ掛けにくく、例えば図１２に示すように、片側の引っ掛け部４のみに締め紐５ｂが引っ掛かった不安定な状態となる可能性があり、それに気付かずにそのままとなってしまうおそれもある。
【０００６】
また、幅の狭い部分と引っ掛け部４とが繰り返される凹凸の多い形状となっているため、使用時に後頭部に触れて痛く、頭皮を傷つけるという不都合が生じる。
【０００７】
さらに、図１３に示すように、特に後端部側の引っ掛け部４に締め紐５ｂを引っ掛けた状態では、弾性薄板片１が後頭部に沿って撓まずに、締め紐５ｂの間から飛び出した状態となる。このように、撓まずにまっすぐとなっている調整部材が後頭部側で突出していると、ヘルメット、ゴーグル等の他の保護具装着の妨げになってしまうおそれがある。
【０００８】
本発明は上記の点に鑑みてなされたものであり、マスクの紐を簡単かつ確実に掛け止めることができ、また頭皮を傷つけることなく、さらには作業の邪魔になることのないマスクの紐長さ調整部材を提供することを目的とする。
【課題を解決するための手段】
【０００９】
本発明のマスクの紐長さ調整部材は、マスクの一方の紐に取り外し可能に装着される長板形状の弾性薄板材からなるマスクの紐長さ調整部材であって、上記弾性薄板材の長手方向の複数位置に、マスクの他方の紐を１箇所で掛け止める掛止部が設けられている点に特徴を有する。
また、本発明のマスクの紐長さ調整部材の他の特徴とするところは、上記弾性薄板材の長手方向の複数位置に切込が形成されており、所望の切込内側を起こした状態にしてマスクの他方の紐を掛け止める構成にした点にある。
また、本発明のマスクの紐長さ調整部材の他の特徴とするところは、上記各切込内側を起こした状態にする加工が予め施されている点にある。
また、本発明のマスクの紐長さ調整部材の他の特徴とするところは、上記各切込の内側に、該切込と相俟って二重線をなすような小切込が形成されている点にある。
また、本発明のマスクの紐長さ調整部材の他の特徴とするところは、上記切込の両端に角度をもって連続する直線切込が形成されている点にある。
また、本発明のマスクの紐長さ調整部材の他の特徴とするところは、上記弾性薄板材に上記切込とは別の切込が形成されており、その別の切込内側を起こした状態にしてマスクの一方の紐を掛け止めることにより、マスクの一方の紐に取り外し可能に装着される点にある。
また、本発明のマスクの紐長さ調整部材の他の特徴とするところは、上記他の切込の内側に、該他の切込と相俟って二重線をなすような小切込が形成されている点にある。
また、本発明のマスクの紐長さ調整部材の他の特徴とするところは、上記他の切込の両端に角度をもって連続する直線切込が形成されている点にある。
また、本発明のマスクの紐長さ調整部材の他の特徴とするところは、上記別の切込が上記弾性薄板材の長手方向の複数位置に形成されている点にある。
また、本発明のマスクの紐長さ調整部材の他の特徴とするところは、上記複数位置の切込と、上記複数位置の別の切込とが、上記弾性薄板材の中央を挟んで両側に対称に配置されている点にある。
また、本発明のマスクの紐長さ調整部材の他の特徴とするところは、上記弾性薄板材の両端部が円弧状とされている点にある。
【発明の効果】
【００１０】
本発明によれば、弾性薄板材の長手方向の複数位置に、マスクの他方の紐を１箇所で掛け止める掛止部が設けられているので、マスクの他方の紐を所望の掛止部に掛け止めることにより、適度な長さに簡単に調整することができ、マスクを顔面に密着させることができる。この場合に、マスクの他方の紐を１個所で掛け止めることができるので、掛け止めやすく、不安定な状態となることもなく、簡単かつ確実に掛け止めることができる。
【００１１】
また、長板形状の弾性薄板材に掛止部として切込を形成するようにすれば、弾性薄板材が凹凸のない長板（平板）形状のままなので、使用時に頭皮を傷つけるという不都合を避けることができる。特に、角をなくすように弾性薄板材の両端部を円弧状とすれば、より効果的である。
【００１２】
さらに、弾性薄板材が平板形状であれば、マスクの他方の紐が弾性薄板材の上を通るようにすることができ、弾性薄板材を後頭部に沿って撓ませることができるので、調整部材が後頭部側で突出した状態とはならず、ヘルメット、ゴーグル等の他の保護具装着の妨げになることがない。
【発明を実施するための最良の形態】
【００１３】
以下、図面に基づいて、本発明の実施形態について説明する。
（第１実施形態）
図１、２を参照して、本発明を適用した第１実施形態のマスクの紐長さ調整部材について説明する。図１に示すように、マスクの紐長さ調整部材は、樹脂製の弾性薄板材１００により構成される。弾性薄板材１００は長板形状とされ、角をなくすように両端部が円弧状とされている。なお、以下の説明では、図示される面を正面、その裏側を裏面と称する。
【００１４】
弾性薄板材１００の一端側（図１の右端側）には、マスクの紐を挿通するための一対の紐通し穴１０１と、これら一対の紐通し穴１０１をつなげる切込１０２とが形成されている。紐通し穴１０１の形状は紐の形状に合わせればよく、平紐であれば図１に示すように長方形としてもよいし、紐の断面が円形状であれば円形としてもよい。また、切込１０２は、一対の紐通し穴１０１を最短距離でつなげるのではなく、底が横に広がった略Ｕ字型をなし、その底が弾性薄板材１００の他端方向に向くようにつなげる。
【００１５】
また、弾性薄板材１００の長手方向の複数位置、図示例では３箇所に、切込１０２と同形状とされた切込１０３が、切込１０２と向き合うように形成されている。
【００１６】
弾性薄板材１００の材料は上述のように樹脂製とすることが加工性等の点で有利であるが、その樹脂を選定するに際しては、掛け止め時に手袋をはめた手等で摘むように持った際に折れ曲がりにくい強度を有するとともに、掛け止められた状態では後頭部の形状に沿って緩やかに撓むような特性を有するものを選定することが望ましい。樹脂としては、ＡＢＳ、ポリプロピレン、ＰＥＴ等が挙げられるが、これに限定されるものではない。また、本願発明者の実験によれば、弾性薄板材１００は板厚０．５〜２．０ｍｍの範囲とすることが本発明に記載されている効果を発揮させるためには適当であった。
【００１７】
このようにした第１実施形態の調整部材を使用する場合、まず切込１０２の内側１０２ａを裏面側に押し下げ、そこに形成される隙間から切込１０２の内側１０２ａ上を滑らすようにマスクの一方の紐５ａを差し入れる。そして、一対の紐通し穴１０１の位置まで移動させることにより、図２に示すように、弾性薄板材１００をマスクの一方の紐５ａに取り外し可能に装着することができる。この装着作業に際して、上記従来例では一対の通孔２それぞれに紐を入れる作業を行わなければならないのに対して、本実施形態では一度の作業で一対の紐通し穴１０１に紐を入れることができる。
【００１８】
そして、マスクを着用するときは、着用者はマスクを口に当てて、マスクの外縁部に取り付けられた紐５ａ、５ｂを後頭部にまわす。この状態で、所望位置の切込１０３の内側１０３ａを表面側に起こすとともに、そこに形成される隙間からマスクの他方の紐５ｂを差し入れることにより、図２に示すように、他方の紐５ｂを掛け止めることができる。この場合に、紐５ｂには張力がかかっているので、手を離せば、図２に示すように、紐５ｂを切込１０３の奥まで移動させることができる。
【００１９】
以上述べた調整部材を使用すれば、マスクの他方の紐５ｂを所望の切込１０３に掛け止めることにより、適度な長さに簡単に調整することができるので、マスクを顔面に密着させることができる。そして、マスクの他方の紐５ｂを所望の切込１０３に掛け止める際に、上記従来例のように２箇所の引っ掛け部４に引っ掛ける必要はなく、１個所の切込１０３に掛け止めればよいので、掛け止めやすく、不安定な状態となることもなく、簡単かつ確実に掛け止めることができる。
【００２０】
また、上記従来例のように凹凸の多い形状ではなく、長板（平板）形状とされており、しかも、角をなくすように両端部が円弧状とされているので、使用時に頭皮を傷つけるという不都合を避けることができる。
【００２１】
さらに、弾性薄板材１００が平板形状とされているので、図２に示すように、マスクの他方の紐５ｂが弾性薄板材１００の上を通るようにすることができ、弾性薄板材１００を後頭部に沿って撓ませることができるので、調整部材が後頭部側で突出した状態とはならず、ヘルメット、ゴーグル等の他の保護具装着の妨げになることがない。
【００２２】
なお、切込１０３の形状は、図１、２に示した形状に限られるものではない。例えば、図３（ａ）に示すように半円形状にしたり、図３（ｂ）に示すように矩形状にしたり、図３（ｃ）に示すように三角形状にしたりしてもよい。ただし、上記実施形態で述べたように、底が横に広がった略Ｕ字型形状とした場合は、奥まで差し入れた紐５ｂを抜けにくくすることができる。切込１０２の形状についても、切込１０３と同様に、図１、２に示した形状以外であってもよい。
【００２３】
また、各切込１０３の内側１０３ａを起こした状態にする加工を予め施しておいてもよい。例えば、図４（ａ）に示すように、切込１０３の内側１０３ａを起こした状態とするように予め癖をつけておいてもよい。また、図４（ｂ）に示すように、切込１０３の基端（弾性薄板材１００に連続する部分）を略垂直に起こし、切込１０３の内側１０３ａが弾性薄板材１００と平行になるようにしてもよい。さらに、図４（ｃ）に示すように、図４（ｂ）で水平になっている切込１０３の内側１０３ａを、先端が下がるように傾斜させてもよい。この場合、切込１０３の内側１０３ａの先端がやや上を向くようにしておけば、紐５ｂを差し入れやすくすることができる。さらにまた、図４（ｄ）に示すように、図４（ｂ）で水平になっている切込１０３の内側１０３ａを、波形状にしてもよい。図４（ｃ）、（ｄ）に示す形状にすれば、紐５ｂを抜けにくくすることができる。なお、図４（ｂ）〜（ｄ）に示す形状は、例えば加熱を伴うプレス加工により実現可能である。
【００２４】
また、図１０に示すように、切込１０３が弾性薄板材１００の幅方向中央に位置するのではなく、弾性薄板材１００の幅を広くするとともに、切込１０３を上下方向のいずれか片側に偏らせて配置してもかまわない。このように切込１０３の位置をずらした方が後頭部へのフィット感を高めることができる場合もある。
【００２５】
（第２実施形態）
図５、６を参照して、本発明を適用した第２実施形態のマスクの紐長さ調整部材について説明する。第２実施形態は、弾性薄板材１００をマスクの一方の紐５ａに取り外し可能に装着するための構成を変更した例である。以下では、上記第１実施形態と相違する構成要素について重点的に説明し、同様の構成要素については同一の符号を付して、その詳細な説明は省略する。
【００２６】
図５に示すように、弾性薄板材１００の一端側（図１の右端側）には、底が横に広がった略Ｕ字型をなし、その底が弾性薄板材１００の他端方向に向く切込１０４が形成されている。そして、切込１０４の両端に角度をもって連続し、弾性薄板材１００の側方に向かう直線切込１０５が形成されている。
【００２７】
このようにした第２実施形態の調整部材を使用する場合、まず切込１０４の内側１０４ａを表面側に起こすとともに、そこに形成される隙間からマスクの一方の紐５ａを奥まで差し入れる。紐５ａを奥まで差し入れると、切込１０４、１０５に囲まれた角部１０６が撓んで裏面側に押し下げられ、その弾性力により紐５ａが切込１０４の内側１０４ａに押し当てられることになり、紐５ａをしっかりと保持することができる。また、直線切込１０５を形成しておくことにより、切込１０４、１０５に囲まれた角部１０６が弾性を有することになり、切込１０４の基端（弾性薄板材１００に連続する部分）に切れが生じるのを防ぐこともできる。
【００２８】
なお、切込１０４及び直線切込１０５の形状は、図５に示した形状に限られるものではない。例えば、図６（ａ）に示すように半円形状にしたり、図６（ｂ）に示すように矩形状にしたり、図６（ｃ）に示すように三角形状にしたりしてもよい。また、図６（ｄ）に示すように、途中に段部を有する略きのこ形状としてもよく、この場合、奥まで差し入れた紐５ａを抜けにくくすることができる。
【００２９】
また、本実施形態のように切込１０４の両端に連続する直線切込１０５を形成するという構成は、上記第１実施形態でいう切込１０３に適用することも可能である。
【００３０】
（第３実施形態）
図７、８を参照して、本発明を適用した第３実施形態のマスクの紐長さ調整部材について説明する。以下では、上記第１実施形態と相違する構成要素について重点的に説明し、同様の構成要素については同一の符号を付して、その詳細な説明は省略する。
【００３１】
図７に示すように、弾性薄板材１００には、上記第１実施形態と同様、マスクの一方の紐５ａを掛け止めるための切込１０２と、長手方向の複数位置に形成された他方の紐５ｂを掛け止めるための切込１０３とが形成されている。そして、切込１０２の内側に、該切込１０２と相俟って二重線をなすような小切込１０７が形成されている。また、各切込１０３の内側にも、該切込１０３と相俟って二重線をなすような小切込１０８が形成されている。
【００３２】
このようにした第３実施形態の調整部材を使用する場合、例えばマスクの他方の紐５ｂを掛け止める場合、所望位置の切込１０３の内側１０３ａを表面側に起こすとともに、そこに形成される隙間からマスクの他方の紐５ｂを差し入れる。そして、紐５ｂを切込１０３の奥まで差し入れるときに、図８に示すように、紐５ｂを切込１０３の内側に形成された小切込１０８の内側１０８ａ上に載せるようにする。この状態では、切込１０３、１０８の内側１０３ａ、１０８ａの弾性力により紐５ｂが挟み込まれるので、紐５ｂをしっかりと保持することができる。マスクの一方の紐５ａを掛け止める場合も同様である。
【００３３】
なお、切込１０２及び小切込１０８、切込１０３及び小切込１０７の形状については、上記第１、２実施形態でも述べたように、図示した形状以外であってもよい。また、例えば各切込１０３の内側１０３ａを起こした状態にするとともに、各小切込１０８の内側１０８ａを裏面側に押し下げた状態とする加工を予め施しておいてもよい。
【００３４】
（第４実施形態）
図９を参照して、本発明を適用した第４実施形態のマスクの紐長さ調整部材について説明する。以下では、上記第１実施形態と相違する構成要素について重点的に説明し、同様の構成要素については同一の符号を付して、その詳細な説明は省略する。
【００３５】
図９（ａ）に示す例は、上記第１実施形態で述べた他方の紐５ｂを掛け止めるための切込１０３を、一方の紐５ａを掛け止める切込としても利用する例であり、図示例では、右側２個の切込１０３と、左側２個の切込１０３とが互いに向き合うように、弾性薄板材１００の中央を挟んで両側に対称に配置されている。
【００３６】
図９（ｂ）に示す例は、上記第３実施形態で述べた他方の紐５ｂを掛け止めるための切込１０３及び小切込１０８を、一方の紐５ａを掛け止める切込としても利用する例であり、図示例では、右側２個の切込１０３（及び小切込１０８）と、左側２個の切込１０３（及び小切込１０８）とが互いに向き合うように、弾性薄板材１００の中央を挟んで両側に対称に配置されている。
【００３７】
このように左右両側に対称的に切込を配置することにより、調整部材に作用する荷重に偏りがなくなり、弾性薄板材１００をきれいに撓ませることができるとともに、マスクの左右両側を均一な力で顔面に密着させることができる。もちろん、図９（ａ）、（ｂ）に示す例以外にも、上記第１〜３実施形態で説明した切込を弾性薄板材１００の中央を挟んで両側に対称に配置するようにしてもよい。
【００３８】
以上、本発明を種々の実施形態とともに説明したが、本発明はこれらの実施形態にのみ限定されるものではなく、本発明の範囲内で変更等が可能である。例えば、上記第１〜４実施形態で説明した切込を、各実施形態の組み合わせにとらわれることなく、自由に組み合わせて利用してもよい。
【００３９】
また、上記各実施形態では切込を形成することにより本発明でいう掛止部を構成するようにしたが、マスクの他方の紐を１箇所で掛け止めることができるのであれば、弾性薄板材１００に別体の掛止部を配設する等の構成としてもよい。ただし、上記各実施形態で説明したように切込を形成する方が、掛止部を別体とするのに比べて、切込を形成するという簡単な加工で済み、大幅なコストダウンを図ることができる。
【図面の簡単な説明】
【００４０】
【図１】第１実施形態の調整部材を示す図である。
【図２】第１実施形態の調整部材の使用状態を示す図である。
【図３】マスクの他方の紐を掛け止めるための切込の他の例を示す図である。
【図４】マスクの他方の紐を掛け止めるための切込を側方から見た図である。
【図５】第２実施形態の調整部材の一部を示す図である。
【図６】マスクの一方の紐を掛け止めるための切込の他の例を示す図である。
【図７】第３実施形態の調整部材を示す図である。
【図８】第３実施形態の調整部材の使用状態を示す図である。
【図９】第４実施形態の調整部材を示す図である。
【図１０】第１実施形態の調整部材の他の例を示す図である。
【図１１】従来例の調整部材を示す図である。
【図１２】従来例の調整部材の使用状態を示す図である。
【図１３】従来例の調整部材の使用状態を示す図である。
【符号の説明】
【００４１】
５ａ        マスクの一方の紐
５ｂ        マスクの他方の紐
１００      弾性薄板材
１０１      紐通し穴
１０２      切込
１０３      切込
１０４      切込
１０５      直線切込
１０６      切込に囲まれた角部
１０７      小切込
１０８      小切込
【図１】
2005124818.tif 000003
【図２】
2005124818.tif 000004
【図３】
2005124818.tif 000005
【図４】
2005124818.tif 000006
【図５】
2005124818.tif 000007
【図６】
2005124818.tif 000008
【図７】
2005124818.tif 000009
【図８】
2005124818.tif 000010
【図９】
2005124818.tif 000011
【図１０】
2005124818.tif 000012
【図１１】
2005124818.tif 000013
【図１２】
2005124818.tif 000014
【図１３】
2005124818.tif 000015